(57)【要約】【課題】通信の安定化を図ること。【解決手段】ＯＬＴ１１０は、第１インタフェースユニット１１１および第２インタフェースユニット１１２と、監視制御ユニット１１５と、を備える。第１インタフェースユニット１１１および第２インタフェースユニット１１２は、それぞれ自ユニットに接続されたＯＮＵ１２１〜１２４の認証を行い、認証を行ったＯＮＵ１２１〜１２４との間で光通信を行い、認証の結果を示す情報を送信する。監視制御ユニット１１５は、第１インタフェースユニット１１１および第２インタフェースユニット１１２によって送信された認証の結果を示す情報に基づいて、第１インタフェースユニット１１１および第２インタフェースユニット１１２の監視および制御の少なくともいずれかを行う。【選択図】図１
2017158007.tif 000002
【特許請求の範囲】
【請求項１】
それぞれ自ユニットに接続された他の光通信装置の認証を行い、前記認証を行った前記他の光通信装置との間で光通信を行い、前記認証の結果を示す情報を送信する複数のインタフェースユニットと、
前記複数のインタフェースユニットによって送信された前記認証の結果を示す情報に基づいて、前記複数のインタフェースユニットの監視および制御の少なくともいずれかを行う管理ユニットと、
を備えることを特徴とする光通信装置。
【請求項２】
前記管理ユニットは、前記複数のインタフェースユニットによる前記認証の結果を示す情報を含む第１データベースを記憶し、前記第１データベースに基づいて前記複数のインタフェースユニットの監視および制御の少なくともいずれかを行い、
前記複数のインタフェースユニットのそれぞれは、前記管理ユニットの前記第１データベースを複製した第２データベースと、自ユニットによる前記認証の結果を示す情報を含む第３データベースと、を記憶し、前記第３データベースに基づいて自ユニットによる前記認証を行い、
前記管理ユニットは、前記複数のインタフェースユニットに記憶された前記第２データベースのうちの最新の第２データベースに基づいて前記第１データベースの復旧を行う、
ことを特徴とする請求項１に記載の光通信装置。
【請求項３】
前記複数のインタフェースユニットのそれぞれは、自ユニットによる前記認証の結果に基づいて自ユニットの前記第３データベースの更新を行い、前記第３データベースの更新内容の前記管理ユニットへの通知を行い、
前記管理ユニットは、前記複数のインタフェースユニットのそれぞれからの前記通知に基づいて前記第１データベースの更新を行い、前記第１データベースの更新内容の前記複数のインタフェースユニットへの通知を行い、
前記複数のインタフェースユニットのそれぞれは、前記管理ユニットからの前記通知に基づいて自ユニットの前記第２データベースの更新を行う、
ことを特徴とする請求項２に記載の光通信装置。
【請求項４】
前記管理ユニットは、前記最新の第２データベースに基づいて前記第１データベースの復旧を行った後に、前記複数のインタフェースユニットの前記第３データベースに基づいて前記第１データベースの更新を行い、前記第１データベースの更新内容の前記複数のインタフェースユニットへの通知を行い、
前記複数のインタフェースユニットのそれぞれは、前記管理ユニットからの前記通知に基づいて自ユニットの前記第２データベースの更新を行う、
ことを特徴とする請求項２または３に記載の光通信装置。
【請求項５】
それぞれ自ユニットに接続された他の光通信装置の認証を行い、前記認証を行った前記他の光通信装置との間で光通信を行い、前記認証の結果を示す情報を送信する複数のインタフェースユニットと、前記複数のインタフェースユニットによって送信された前記認証の結果を示す情報に基づいて、前記複数のインタフェースユニットの監視および制御の少なくともいずれかを行う管理ユニットと、を備える第１光通信装置と、
前記複数のインタフェースユニットのいずれかに接続し、接続したインタフェースユニットとの間で光通信を行う第２光通信装置と、
を含むことを特徴とする光通信システム。
【請求項６】
複数のインタフェースユニットおよび管理ユニットを備える光通信装置における処理方法であって、
前記複数のインタフェースユニットが、それぞれ自ユニットに接続された他の光通信装置の認証を行い、前記認証を行った前記他の光通信装置との間で光通信を行い、前記認証の結果を示す情報を送信し、
前記管理ユニットが、前記複数のインタフェースユニットによって送信された前記認証の結果を示す情報に基づいて、前記複数のインタフェースユニットの監視および制御の少なくともいずれかを行う、
ことを特徴とする処理方法。
【発明の詳細な説明】
【技術分野】
【０００１】
本発明は、光通信装置、光通信システムおよび処理方法に関する。
【背景技術】
【０００２】
従来、光ファイバ網の途中に分岐装置を挿入して、一本のファイバを複数の加入者に引き込むＰＯＮ（Ｐａｓｓｉｖｅ  Ｏｐｔｉｃａｌ  Ｎｅｔｗｏｒｋ）システムが知られている（たとえば、下記特許文献１，２参照。）。ＰＯＮシステムにおける収容局側の光通信装置は、たとえばＯＬＴ（Ｏｐｔｉｃａｌ  Ｌｉｎｅ  Ｔｅｒｍｉｎａｌ）と呼ばれる。また、ＰＯＮシステムにおける加入者側の光通信装置は、たとえばＯＮＵ（Ｏｐｔｉｃａｌ  Ｎｅｔｗｏｒｋ  Ｕｎｉｔ）と呼ばれる。
【先行技術文献】
【特許文献】
【０００３】
【特許文献１】特開２００９−５５４９４号公報
【特許文献２】特開２０１０−１３０３４１号公報
【発明の概要】
【発明が解決しようとする課題】
【０００４】
しかしながら、上述した従来技術では、たとえば、ＯＬＴにおいて、各インタフェースユニットに接続されたＯＮＵの認証が、各インタフェースユニットの監視や制御を行う監視制御ユニットにより行われる。このため、監視制御ユニットに故障などの障害が発生すると、ＯＮＵの認証処理を行うことができず信号の疎通ができなくなる。このため、ＰＯＮによる通信が不安定になるという問題がある。
【０００５】
１つの側面では、本発明は、通信の安定化を図ることができる光通信装置、光通信システムおよび処理方法を提供することを目的とする。
【課題を解決するための手段】
【０００６】
上述した課題を解決し、目的を達成するため、本発明の一側面によれば、複数のインタフェースユニットおよび管理ユニットを備える光通信装置において、前記複数のインタフェースユニットが、それぞれ自ユニットに接続された他の光通信装置の認証を行い、前記認証を行った前記他の光通信装置との間で光通信を行い、前記認証の結果を示す情報を送信し、前記管理ユニットが、前記複数のインタフェースユニットによって送信された前記認証の結果を示す情報に基づいて、前記複数のインタフェースユニットの監視および制御の少なくともいずれかを行う光通信装置、光通信システムおよび処理方法が提案される。
【発明の効果】
【０００７】
本発明の一側面によれば、通信の安定化を図ることができるという効果を奏する。
【図面の簡単な説明】
【０００８】
【図１】図１は、実施の形態にかかるＰＯＮシステムの一例を示す図である。
【図２】図２は、実施の形態にかかるインタフェースユニットへのＯＮＵの接続の一例を示す図である。
【図３】図３は、実施の形態にかかるインタフェースユニットの認証ＤＢの一例を示す図である。
【図４】図４は、実施の形態にかかるＰＯＮシステムにおける正常時の認証処理の一例を示すシーケンス図である。
【図５】図５は、実施の形態にかかるＰＯＮシステムにおける障害時の認証処理の一例を示すシーケンス図である。
【図６】図６は、実施の形態にかかるＰＯＮシステムにおける正常時のＤＢ更新処理の一例を示すシーケンス図である。
【図７】図７は、実施の形態にかかる監視制御ユニットのＤＢの一例を示す図である。
【図８】図８は、実施の形態にかかるＰＯＮシステムにおける正常時のＤＢ更新処理によるＤＢの変化の一例を示す図（その１）である。
【図９】図９は、実施の形態にかかるＰＯＮシステムにおける正常時のＤＢ更新処理によるＤＢの変化の一例を示す図（その２）である。
【図１０】図１０は、実施の形態にかかるＰＯＮシステムにおける正常時のＤＢ更新処理によるＤＢの変化の一例を示す図（その３）である。
【図１１】図１１は、実施の形態にかかるＰＯＮシステムにおける正常時のＤＢ更新処理によるＤＢの変化の一例を示す図（その４）である。
【図１２】図１２は、実施の形態にかかるＰＯＮシステムにおける障害時のＤＢ更新処理の一例を示すシーケンス図である。
【図１３】図１３は、実施の形態にかかるＰＯＮシステムにおける障害時のＤＢ更新処理によるＤＢの変化の一例を示す図（その１）である。
【図１４】図１４は、実施の形態にかかるＰＯＮシステムにおける障害時のＤＢ更新処理によるＤＢの変化の一例を示す図（その２）である。
【図１５】図１５は、実施の形態にかかるＰＯＮシステムにおける障害時のＤＢ更新処理によるＤＢの変化の一例を示す図（その３）である。
【図１６】図１６は、実施の形態にかかる監視制御ユニットによる処理の一例を示すフローチャートである。
【図１７】図１７は、実施の形態にかかるインタフェースユニットによる処理の一例を示すフローチャートである。
【図１８】図１８は、実施の形態にかかる監視制御ユニットのハードウェア構成の一例を示す図である。
【図１９】図１９は、実施の形態にかかるインタフェースユニットのハードウェア構成の一例を示す図である。
【図２０】図２０は、実施の形態にかかるＯＮＵのハードウェア構成の一例を示す図である。
【発明を実施するための形態】
【０００９】
以下に図面を参照して、本発明にかかる光通信装置、光通信システムおよび処理方法の実施の形態を詳細に説明する。
【００１０】
（実施の形態）
（実施の形態にかかるＰＯＮシステム）
図１は、実施の形態にかかるＰＯＮシステムの一例を示す図である。図１に示すように、実施の形態にかかるＰＯＮシステム１００は、ＯＬＴ１１０と、ＯＮＵ１２１〜１２４と、を含む通信システムである。ＯＬＴ１１０は、ＰＯＮシステムにおける収容局側の光通信装置（第１光通信装置）である。ＯＮＵ１２１〜１２４は、ＰＯＮシステムにおける加入者側の光通信装置（第２光通信装置）である。
【００１１】
図１に示す例では、ＯＬＴ１１０は、監視制御ユニット１１５と、第１インタフェースユニット１１１と、第２インタフェースユニット１１２と、を備える。監視制御ユニット１１５は、ＯＬＴ１１０における各インタフェースユニット（たとえば第１インタフェースユニット１１１および第２インタフェースユニット１１２）の監視および制御の少なくとも一方を行う管理ユニットである。
【００１２】
監視制御ユニット１１５によるインタフェースユニットの監視には、たとえば、インタフェースユニットの故障等の障害の検出などが含まれる。監視制御ユニット１１５によるインタフェースユニットの制御には、たとえば、インタフェースユニットによる光通信の初期設定や、インタフェースユニットの再起動などの各種の制御が含まれる。
【００１３】
第１インタフェースユニット１１１および第２インタフェースユニット１１２は、ＯＮＵ１２１〜１２４との間でＰＯＮの光通信を行う。図１に示す例では、第１インタフェースユニット１１１にはＯＮＵ１２１，１２２が光ファイバ等で接続されており、第１インタフェースユニット１１１はＯＮＵ１２１，１２２のそれぞれとの間で光通信を行う。また、第１インタフェースユニット１１１は、ＯＬＴ１１０の上位の光通信装置との間でも光通信を行うことで、ＯＮＵ１２１，１２２と、ＯＬＴ１１０の上位の光通信装置と、の間の通信を中継する。
【００１４】
第２インタフェースユニット１１２にはＯＮＵ１２３，１２４が光ファイバ等で接続されており、第２インタフェースユニット１１２はＯＮＵ１２３，１２４のそれぞれとの間で光通信を行う。また、第２インタフェースユニット１１２は、ＯＬＴ１１０の上位の光通信装置との間でも光通信を行うことで、ＯＮＵ１２３，１２４と、ＯＬＴ１１０の上位の光通信装置と、の間の通信を中継する。このように、ＯＬＴ１１０においては、ＯＬＴとしての機能を複数のユニットに分割して実現することで、障害発生時の保守性やサービスの継続性を向上させることができる。
【００１５】
また、監視制御ユニット１１５は、ＯＬＴ１１０のインタフェースユニットの監視や制御において得られた装置設定情報を、自ユニットのデータベース（ＤＢ：Ｄａｔａ  Ｂａｓｅ）に保存する。装置設定情報には、たとえば、ＳＮＭＰ（Ｓｉｍｐｌｅ  Ｎｅｔｗｏｒｋ  Ｍａｎａｇｅｍｅｎｔ  Ｐｒｏｔｏｃｏｌ）の設定情報（たとえばＳＮＭＰマネージャのＩＰアドレス）や、ＳＹＳＬＯＧの設定情報などがある。
【００１６】
ＳＮＭＰは、ＩＰ（Ｉｎｔｅｒｎｅｔ  Ｐｒｏｔｏｃｏｌ：インターネットプロトコル）ネットワークのネットワーク監視やネットワーク管理を行うためのプロトコルである。ＳＹＳＬＯＧは、システムメッセージをネットワーク上で転送したりファイルに記憶したりする仕組みである。
【００１７】
また、監視制御ユニット１１５は、自ユニットの装置設定情報を含むＤＢを、そのＤＢのタイムスタンプとともに、第１インタフェースユニット１１１および第２インタフェースユニット１１２にバックアップ用に記憶させる。ＤＢのタイムスタンプは、たとえば、ＤＢの作成時にはその作成時刻を示し、ＤＢの作成後にそのＤＢが更新された場合はその更新時刻を示す情報である。
【００１８】
これにより、たとえば監視制御ユニット１１５の障害発生による監視制御ユニット１１５の装置交換等があっても、各インタフェースユニットにバックアップ用に記憶されたＤＢの中からタイムスタンプを参照して最新のＤＢを特定することができる。そして、各インタフェースユニットにバックアップ用に記憶されたＤＢの中から最新のＤＢを読み出し、読み出したＤＢを用いて監視制御ユニット１１５のＤＢを復元することができる。
【００１９】
また、ＰＯＮシステム１００においては、第１インタフェースユニット１１１および第２インタフェースユニット１１２のそれぞれが、自ユニットに接続されたＯＮＵの認証を行い、認証を行ったＯＮＵとの間で光通信を行う。認証は、たとえば、第１インタフェースユニット１１１や第２インタフェースユニット１１２に接続されたＯＮＵの識別情報をそのＯＮＵから受信することにより、そのＯＮＵの正当性を確認する処理である。識別情報には、一例としてはＯＮＵのＭＡＣ（Ｍｅｄｉａ  Ａｃｃｅｓｓ  Ｃｏｎｔｒｏｌ：メディアアクセス制御）アドレスを用いることができる。
【００２０】
第１インタフェースユニット１１１および第２インタフェースユニット１１２のそれぞれは、認証の結果を示す認証情報を監視制御ユニット１１５へ送信する。監視制御ユニット１１５は、第１インタフェースユニット１１１および第２インタフェースユニット１１２から受信した認証情報に基づいて、第１インタフェースユニット１１１および第２インタフェースユニット１１２の監視や制御を行う。
【００２１】
このように、ＰＯＮシステム１００は、ＯＮＵの認証を第１インタフェースユニット１１１および第２インタフェースユニット１１２において行い、認証結果を監視制御ユニット１１５へ通知する構成である。これにより、監視制御ユニット１１５に障害が発生しても、第１インタフェースユニット１１１および第２インタフェースユニット１１２とＯＮＵとの間の信号の疎通が可能になり、ＰＯＮシステム１００における通信の安定化を図ることができる。
【００２２】
図１に示す例ではＯＬＴ１１０が２個のインタフェースユニット（第１インタフェースユニット１１１および第２インタフェースユニット１１２）を備える構成について説明したが、ＯＬＴ１１０が３個以上のインタフェースユニットを備える構成としてもよい。また、図１に示す例では各インタフェースユニットにＯＮＵが２個ずつ接続された構成について説明したが、各インタフェースユニットに接続されるＯＮＵの数は２個に限らず、０個、１個または３個以上であってもよい。
【００２３】
（実施の形態にかかるインタフェースユニットへのＯＮＵの接続）
図２は、実施の形態にかかるインタフェースユニットへのＯＮＵの接続の一例を示す図である。図２に示すＯＮＵ２０１〜２０３は、ＯＬＴ１１０の第１インタフェースユニット１１１に接続されたＯＮＵである。ＯＮＵ２０１〜２０３のＭＡＣアドレスをそれぞれａ，ｂ，ｃとする。また、第１インタフェースユニット１１１に対して、最初にＯＮＵ２０１が接続され（１）、つぎにＯＮＵ２０２が接続され（２）、つぎにＯＮＵ２０３が接続されたとする（３）。
【００２４】
第１インタフェースユニット１１１は、ＯＮＵが接続されるごとに、接続されたＯＮＵの認証処理を行い、認証結果を示す認証情報を監視制御ユニット１１５へ通知する。第１インタフェースユニット１１１へのＯＮＵの接続について説明したが、第２インタフェースユニット１１２へのＯＮＵの接続についても同様である。
【００２５】
このように、ＰＯＮシステム１００においては、ＯＬＴのインタフェースユニットに対してＯＮＵが接続されると、接続先のインタフェースユニットにおいて認証処理が行われ、接続されたＯＮＵが正しいＯＮＵであるか否かが判定される。これにより、ＰＯＮシステム１００の通信の不正利用等を防止することができる。
【００２６】
（実施の形態にかかるインタフェースユニットの認証ＤＢ）
図３は、実施の形態にかかるインタフェースユニットの認証ＤＢの一例を示す図である。図２に示したように第１インタフェースユニット１１１にＯＮＵ２０１〜２０３が接続された場合は、第１インタフェースユニット１１１は、たとえば図３に示す認証ＤＢ３００を作成する。認証ＤＢ３００は、第１インタフェースユニット１１１に接続したＯＮＵ２０１〜２０３のそれぞれについて、そのＯＮＵのＭＡＣアドレスと、そのＯＮＵに対して第１インタフェースユニット１１１が認証順に割り当てた管理番号と、を対応付ける。
【００２７】
図２に示した例では、第１インタフェースユニット１１１に対してＯＮＵ２０１、ＯＮＵ２０２、ＯＮＵ２０３の順に接続されたため、ＯＮＵ２０１〜２０３には管理番号としてそれぞれ１〜３が割り当てられている。第１インタフェースユニット１１１は、認証ＤＢ３００のコピーを監視制御ユニット１１５へ送信する。監視制御ユニット１１５は、認証ＤＢ３００を用いて、第１インタフェースユニット１１１の監視や制御を行う。
【００２８】
すなわち、１つのインタフェースユニットには複数のＯＮＵが接続可能であり、監視制御ユニット１１５は、ＯＮＵを一意に識別するために、インタフェースユニットごとに、認証処理にて得られたＯＮＵのＭＡＣアドレスと管理番号とを対応付けて管理する。このＭＡＣアドレスと管理番号とを対応付ける情報を認証情報と呼ぶ。
【００２９】
たとえば、認証情報が監視制御ユニット１１５にない場合は、ＯＮＵ２０１〜２０３と第１インタフェースユニット１１１との接続が切れ再び認証するときに、ＯＮＵ２０１〜２０３に対して以前と異なる管理番号が割り当てられる場合がある。この場合に、管理番号を用いて行われる監視制御ユニット１１５による監視や制御において不整合が生じる。このような状態を防ぐために、認証情報を含むＤＢを監視制御ユニット１１５が保持することを要する。
【００３０】
（実施の形態にかかるＰＯＮシステムにおける正常時の認証処理）
図４は、実施の形態にかかるＰＯＮシステムにおける正常時の認証処理の一例を示すシーケンス図である。実施の形態にかかるＰＯＮシステム１００においては、監視制御ユニット１１５に障害が発生していない正常時に、認証処理としてたとえば図４に示す各ステップが実行される。
【００３１】
まず、監視制御ユニット１１５に接続された第１インタフェースユニット１１１が起動すると、監視制御ユニット１１５が、回線設定情報を第１インタフェースユニット１１１へ送信する（ステップＳ４０１）。ステップＳ４０１によって送信される回線設定情報は、第１インタフェースユニット１１１が第１インタフェースユニット１１１に接続したＯＮＵに対して設定する、第１インタフェースユニット１１１がＯＮＵとの間で通信を行うための回線設定情報である。
【００３２】
たとえば、回線設定情報は、ＯＬＴ１１０と、ＯＬＴ１１０の第１インタフェースユニット１１１に接続されたＯＮＵに接続されるＰＣ（Ｐｅｒｓｏｎａｌ  Ｃｏｍｐｕｔｅｒ）等の端末と、の間の通信回線を設定するための情報である。一例としては、回線設定情報は、ヘッダにどのような値が格納された信号がきたら疎通させるのかを示す情報や、送受信するイーサネットフレームのフレーム構造などを設定するための情報である。なお、イーサネットは登録商標である。
【００３３】
つぎに、第１インタフェースユニット１１１が、ＯＡＭ（Ｏｐｅｒａｔｉｏｎ  Ａｄｍｉｎｉｓｔｒａｔｉｏｎ  Ｍａｉｎｔｅｎａｎｃｅ：保守管理機能）信号の定期的な送信を開始する（ステップＳ４０２）。ＯＡＭ信号は、第１インタフェースユニット１１１に接続したＯＮＵが受信可能な信号である。
【００３４】
つぎに、第１インタフェースユニット１１１に対してＯＮＵ１２１が接続されたとする。ＯＮＵ１２１は、ステップＳ４０２によって送信を開始されたＯＡＭ信号を受信し、受信したＯＡＭ信号に対する応答信号を第１インタフェースユニット１１１へ送信する（ステップＳ４０３）。
【００３５】
つぎに、第１インタフェースユニット１１１が、ＭＡＣアドレス・回線設定情報要求をＯＮＵ１２１へ送信する（ステップＳ４０４）。ＭＡＣアドレス・回線設定情報要求は、ＯＮＵ１２１に対してＯＮＵ１２１のＭＡＣアドレスおよび回線設定情報を要求する制御信号である。
【００３６】
つぎに、ＯＮＵ１２１が、ＯＮＵ１２１のＭＡＣアドレスおよび回線設定情報を第１インタフェースユニット１１１へ送信する（ステップＳ４０５）。ステップＳ４０５によって送信されるＯＮＵ１２１のＭＡＣアドレスは、ＯＮＵ１２１に対してユニークに割り当てられた物理アドレスである。ステップＳ４０５によって送信されるＯＮＵ１２１の回線設定情報は、ＯＮＵ１２１の不揮発性メモリ等に予め格納された回線設定情報である。
【００３７】
つぎに、第１インタフェースユニット１１１が、ステップＳ４０５によって送信されたＯＮＵ１２１のＭＡＣアドレスと、ＯＮＵ１２１に対して割り当てた管理番号と、を対応付ける認証情報を生成する。そして、第１インタフェースユニット１１１は、生成した認証情報を第１インタフェースユニット１１１の認証ＤＢに反映させ、生成した認証情報を監視制御ユニット１１５へ送信する（ステップＳ４０６）。監視制御ユニット１１５は、ステップＳ４０６によって送信された認証情報を監視制御ユニット１１５の認証ＤＢに反映させる。
【００３８】
また、第１インタフェースユニット１１１は、ステップＳ４０１によって監視制御ユニット１１５から送信された回線設定情報と、ステップＳ４０５によってＯＮＵ１２１から送信された回線設定情報と、を比較する。そして、第１インタフェースユニット１１１は、比較した各回線設定情報が相違していた場合は、ステップＳ４０１によって監視制御ユニット１１５から送信された回線設定情報をＯＮＵ１２１へ送信する（ステップＳ４０７）。これにより、監視制御ユニット１１５から送信された回線設定情報に基づいてＯＮＵ１２１の回線設定が行われる。また、第１インタフェースユニット１１１は、比較した各回線設定情報が一致していた場合は、ステップＳ４０７を行わなくてもよい。
【００３９】
つぎに、第１インタフェースユニット１１１およびＯＮＵ１２１が互いに信号疎通となる（ステップＳ４０８）。また、監視制御ユニット１１５は、ステップＳ４０６によって送信された認証情報を用いて、第１インタフェースユニット１１１とＯＮＵ１２１との間の通信の監視や制御を行う。
【００４０】
（実施の形態にかかるＰＯＮシステムにおける障害時の認証処理）
図５は、実施の形態にかかるＰＯＮシステムにおける障害時の認証処理の一例を示すシーケンス図である。実施の形態にかかるＰＯＮシステム１００においては、監視制御ユニット１１５に障害が発生した場合に、認証処理としてたとえば図５に示す各ステップが実行される。
【００４１】
図５に示すステップＳ５０１〜Ｓ５０５は、図４に示したステップＳ４０１〜Ｓ４０５と同様である。ただし、ステップＳ５０１の後に、監視制御ユニット１１５に障害が発生したとする。また、この障害は、少なくとも、第１インタフェースユニット１１１から監視制御ユニット１１５への認証情報の送信ができなくなる障害である。
【００４２】
この場合に、ステップＳ５０５のつぎに、第１インタフェースユニット１１１は、ＯＮＵ１２１に関する認証情報を監視制御ユニット１１５へ送信できないため、ステップＳ５０６へ移行する。ステップＳ５０６，Ｓ５０７は、図４に示したステップＳ４０７，Ｓ４０８と同様である。これにより、第１インタフェースユニット１１１およびＯＮＵ１２１が互いに信号疎通となる。
【００４３】
仮に、監視制御ユニット１１５が第１インタフェースユニット１１１を介してＯＮＵの認証処理を行う構成とすると、監視制御ユニット１１５に障害が発生した場合は認証処理を完了できず、信号疎通を行うことができなくなる。これに対して、図４，図５に示したように、第１インタフェースユニット１１１において認証処理を行うことで、監視制御ユニット１１５に障害が発生しても信号疎通が可能になる。また、第１インタフェースユニット１１１における認証処理の結果を示す認証情報を第１インタフェースユニット１１１から監視制御ユニット１１５へ送信することで、監視制御ユニット１１５において認証情報を用いた監視や制御が可能になる。
【００４４】
（実施の形態にかかるＰＯＮシステムにおける正常時のＤＢ更新処理）
図６は、実施の形態にかかるＰＯＮシステムにおける正常時のＤＢ更新処理の一例を示すシーケンス図である。実施の形態にかかるＰＯＮシステム１００においては、監視制御ユニット１１５に障害が発生しない正常時に、ＤＢ更新処理として、たとえば図６に示す各ステップが実行される。
【００４５】
図６に示すＤＢ６１０（ＤＢ）は、監視制御ユニット１１５が有するＤＢである。ＤＢ６１０は、たとえば、ＳＮＭＰの設定情報やＳＹＳＬＯＧの設定情報などの装置設定情報と、第１インタフェースユニット１１１および第２インタフェースユニット１１２のそれぞれについての認証ＤＢと、を含む（たとえば図７参照）。
【００４６】
まず、監視制御ユニット１１５が、時刻Ａにおいて、ＤＢ６１０の装置設定情報を更新したとする（ステップＳ６０１）。この場合は、監視制御ユニット１１５は、ＤＢ６１０のタイムスタンプ（ＴＳ）を時刻Ａに設定する。そして、監視制御ユニット１１５は、タイムスタンプを時刻Ａに設定したＤＢ６１０のコピーを第１インタフェースユニット１１１および第２インタフェースユニット１１２へ送信する（ステップＳ６０２）。これにより、第１インタフェースユニット１１１および第２インタフェースユニット１１２によって最新のＤＢ６１０（タイムスタンプ＝時刻Ａ）がバックアップされる。
【００４７】
図６に示すＤＢ６１１，６１２は、それぞれ第１インタフェースユニット１１１および第２インタフェースユニット１１２によってバックアップ用に記憶された監視制御ユニット１１５のＤＢ６１０のコピーである。この時点におけるＤＢ６１１，６１２のタイムスタンプは時刻Ａである。
【００４８】
また、第１インタフェースユニット１１１および第２インタフェースユニット１１２は、ＤＢ６１１，６１２とは別に、それぞれ認証ＤＢ６２１，６２２を有する。認証ＤＢ６２１，６２２は、それぞれ第１インタフェースユニット１１１および第２インタフェースユニット１１２に接続したＯＮＵに関するＤＢである。たとえば、認証ＤＢ６２１は、第１インタフェースユニット１１１に接続したＯＮＵごとに、そのＯＮＵのＭＡＣアドレスと、第１インタフェースユニット１１１がそのＯＮＵに割り当てた割当番号と、を示す。認証ＤＢ６２１，６２２のタイムスタンプをそれぞれ時刻Ｘ，Ｙとする。
【００４９】
つぎに、第１インタフェースユニット１１１に対して新たにＯＮＵが接続されたとする。これに対して、第１インタフェースユニット１１１は、時刻Ｂにおいて、新たに接続されたＯＮＵに関する認証処理を実施し、認証結果に基づいて認証ＤＢ６２１を更新する（ステップＳ６０３）。この場合は、第１インタフェースユニット１１１は、認証ＤＢ６２１のタイムスタンプを時刻Ｂに設定する。
【００５０】
つぎに、第１インタフェースユニット１１１が、新たに接続したＯＮＵに関する認証処理の結果を示す認証情報を監視制御ユニット１１５へ送信する（ステップＳ６０４）。認証情報は、たとえば、新たに接続されたＯＮＵのＭＡＣアドレスと、第１インタフェースユニット１１１が新たに接続されたＯＮＵに割り当てた割当番号と、を示す情報である。認証情報は、たとえば、認証ＤＢ６２１のコピーである。
【００５１】
つぎに、監視制御ユニット１１５が、ステップＳ６０４によって送信された認証情報に基づいて、ＤＢ６１０における第１インタフェースユニット１１１に関する認証ＤＢを更新する（ステップＳ６０５）。ステップＳ６０５によって認証ＤＢが更新された時刻を時刻Ｃとする。
【００５２】
この場合は、監視制御ユニット１１５は、ＤＢ６１０のタイムスタンプを時刻Ｃに設定し、タイムスタンプを時刻Ｃに設定したＤＢ６１０のコピーを第１インタフェースユニット１１１および第２インタフェースユニット１１２へ送信する（ステップＳ６０６）。これにより、第１インタフェースユニット１１１および第２インタフェースユニット１１２によって最新のＤＢ６１０（タイムスタンプ＝時刻Ｃ）がバックアップされる。
【００５３】
なお、監視制御ユニット１１５が、ＤＢ６１０を更新した際に、各インタフェースユニットへ更新後のＤＢ６１０のコピーを送信する構成について説明したが、このような構成に限らない。たとえば、監視制御ユニット１１５が、ＤＢ６１０を更新した際に、各インタフェースユニットへ、ＤＢ６１０の更新部分のみのコピーや、ＤＢ６１０をどのように変更したかを示す情報などを送信する構成としてもよい。
【００５４】
また、第１インタフェースユニット１１１が、認証ＤＢ６２１を更新した際に、認証情報として更新後の認証ＤＢ６２１のコピーを監視制御ユニット１１５へ送信する構成について説明したが、このような構成に限らない。たとえば、第１インタフェースユニット１１１が、認証ＤＢ６２１を更新した際に、認証情報として、認証ＤＢ６２１の更新部分のみのコピーや、認証ＤＢ６２１をどのように変更したかを示す情報などを監視制御ユニット１１５へ送信する構成としてもよい。第２インタフェースユニット１１２が監視制御ユニット１１５へ認証情報を送信する場合も同様である。
【００５５】
（実施の形態にかかる監視制御ユニットのＤＢ）
図７は、実施の形態にかかる監視制御ユニットのＤＢの一例を示す図である。監視制御ユニット１１５に第１インタフェースユニット１１１および第２インタフェースユニット１１２が設けられている場合に、監視制御ユニット１１５のＤＢ６１０は、たとえば、図７に示すように、装置設定情報７１０と、認証ＤＢ７２１，７２２と、を含む。装置設定情報７１０は、ＯＬＴ１１０におけるＳＮＭＰやＳＹＳＬＯＧなどの設定情報である。図７に示す例では、装置設定情報７１０は、ＳＮＭＰマネージャのＩＰアドレスを含む。
【００５６】
認証ＤＢ７２１は、第１インタフェースユニット１１１に接続されたＯＮＵのそれぞれについて、そのＯＮＵのＭＡＣアドレスと、そのＯＮＵに対して第１インタフェースユニット１１１が割り当てた管理番号と、を対応付ける情報である。また、認証ＤＢ７２１は、第１インタフェースユニット１１１から監視制御ユニット１１５へ送信される認証情報に基づいて、第１インタフェースユニット１１１が有する認証ＤＢ６２１と同内容になるように更新される。
【００５７】
認証ＤＢ７２２は、第２インタフェースユニット１１２に接続されたＯＮＵのそれぞれについて、そのＯＮＵのＭＡＣアドレスと、そのＯＮＵに対して第２インタフェースユニット１１２が割り当てた管理番号と、を対応付ける情報である。また、認証ＤＢ７２２は、第２インタフェースユニット１１２から監視制御ユニット１１５へ送信される認証情報に基づいて、第２インタフェースユニット１１２が有する認証ＤＢ６２２と同内容になるように更新される。
【００５８】
（実施の形態にかかるＰＯＮシステムにおける正常時のＤＢ更新処理によるＤＢの変化）
図８〜図１１は、実施の形態にかかるＰＯＮシステムにおける正常時のＤＢ更新処理によるＤＢの変化の一例を示す図である。図８〜図１１において、図６，図７に示した部分と同様の部分については同一の符号を付して説明を省略する。
【００５９】
図８は、図６に示した例における、監視制御ユニット１１５のＤＢ６１０の初期状態を示している。図８に示す例では、ＤＢ６１０の装置設定情報７１０にはＳＮＭＰマネージャのＩＰアドレスとして“１９２．１６８．０．１／２４”が設定されている。
【００６０】
また、図８に示す初期状態において、第１インタフェースユニット１１１にはＭＡＣアドレス＝ａのＯＮＵのみが接続しているとする。この場合は、第１インタフェースユニット１１１に関する認証ＤＢ７２１においては、ＭＡＣアドレス＝ａと、ＭＡＣアドレス＝ａのＯＮＵに割り当てられた管理番号＝１と、が対応付けられている。
【００６１】
また、図８に示す初期状態において、第２インタフェースユニット１１２にはＭＡＣアドレス＝ｃのＯＮＵのみが接続しているとする。この場合は、第２インタフェースユニット１１２に関する認証ＤＢ７２２においては、ＭＡＣアドレス＝ｃと、ＭＡＣアドレス＝ｃのＯＮＵに割り当てられた管理番号＝１と、が対応付けられている。
【００６２】
また、図８に示す初期状態において、第１インタフェースユニット１１１が有する認証ＤＢ６２１は、図８に示す認証ＤＢ７２１と同内容である。また、第２インタフェースユニット１１２が有する認証ＤＢ６２２は、図８に示す認証ＤＢ７２２と同内容である。また、第１インタフェースユニット１１１が有するバックアップ用のＤＢ６１１は、図８に示すＤＢ６１０と同内容である。また、第２インタフェースユニット１１２が有するバックアップ用のＤＢ６１２は、図８に示すＤＢ６１０と同内容である。
【００６３】
図９は、図６に示したステップＳ６０１による更新後の監視制御ユニット１１５のＤＢ６１０の状態を示している。図９に示す例では、ＤＢ６１０の装置設定情報７１０のＳＮＭＰマネージャのＩＰアドレスが、図８に示した例から変更されて“１９２．１６８．１００．１００／２４”になっている。
【００６４】
監視制御ユニット１１５は、ステップＳ６０２において、図９に示す更新後のＤＢ６１０のコピーを第１インタフェースユニット１１１および第２インタフェースユニット１１２へ送信する。これにより、第１インタフェースユニット１１１が有するバックアップ用のＤＢ６１１と、第２インタフェースユニット１１２が有するバックアップ用のＤＢ６１２と、が図９に示すＤＢ６１０と同内容になるように更新される。
【００６５】
図１０は、図６に示したステップＳ６０３による更新後の第１インタフェースユニット１１１の認証ＤＢ６２１の状態を示している。図６に示したステップＳ６０３において、ＭＡＣアドレス＝ｂのＯＮＵについて認証処理が行われ、ＭＡＣアドレス＝ｂのＯＮＵに対して第１インタフェースユニット１１１によって管理番号＝２が割り当てられたとする。この場合は、図１０に示すように、認証ＤＢ６２１には、ＭＡＣアドレス＝ｂと管理番号＝２との組み合わせが追加される。第１インタフェースユニット１１１は、図６に示したステップＳ６０４において、認証情報として、たとえば図１０に示す認証ＤＢ６２１のコピーを監視制御ユニット１１５へ送信する。
【００６６】
図１１は、図６に示したステップＳ６０５による更新後の監視制御ユニット１１５のＤＢ６１０の状態を示している。図１１に示す例では、ＤＢ６１０の認証ＤＢ７２１が、図１０に示した第１インタフェースユニット１１１の認証ＤＢ６２１と同内容になるように更新される。
【００６７】
監視制御ユニット１１５は、図６に示したステップＳ６０６において、図１１に示す更新後のＤＢ６１０のコピーを第１インタフェースユニット１１１および第２インタフェースユニット１１２へ送信する。これにより、第１インタフェースユニット１１１が有するバックアップ用のＤＢ６１１と、第２インタフェースユニット１１２が有するバックアップ用のＤＢ６１２と、は図１１に示すＤＢ６１０と同内容になるように更新される。
【００６８】
（実施の形態にかかるＰＯＮシステムにおける障害時のＤＢ更新処理）
図１２は、実施の形態にかかるＰＯＮシステムにおける障害時のＤＢ更新処理の一例を示すシーケンス図である。実施の形態にかかるＰＯＮシステム１００においては、監視制御ユニット１１５に障害が発生した場合に、ＤＢ更新処理としてたとえば図１２に示す各ステップが実行される。
【００６９】
図１２に示すステップＳ１２０１，Ｓ１２０２は、図６に示したステップＳ６０１，Ｓ６０２と同様である。ステップＳ１２０２のつぎに、監視制御ユニット１１５が、時刻Ｂにおいて、ＤＢ６１０の装置設定情報を更新したとする（ステップＳ１２０３）。この場合は、監視制御ユニット１１５は、ＤＢ６１０のタイムスタンプ（ＴＳ）を時刻Ｂに設定する。そして、監視制御ユニット１１５は、タイムスタンプを時刻Ｂに設定したＤＢ６１０のコピーを第１インタフェースユニット１１１および第２インタフェースユニット１１２へ送信する（ステップＳ１２０４）。
【００７０】
ただし、図１２に示す例では、監視制御ユニット１１５が第１インタフェースユニット１１１へＤＢ６１０のコピーを送信した後に、第２インタフェースユニット１１２へＤＢ６１０のコピーを送信する際に監視制御ユニット１１５に障害が発生したとする。この場合は、第１インタフェースユニット１１１にはタイムスタンプ＝時刻ＢのＤＢ６１０がバックアップされるが、第２インタフェースユニット１１２にはタイムスタンプ＝時刻ＢのＤＢ６１０はバックアップされない（ＤＢ更新失敗）。したがって、第２インタフェースユニット１１２がバックアップするＤＢ６１２のタイムスタンプは時刻Ａのままとなる。
【００７１】
つぎに、第１インタフェースユニット１１１に対して新たにＯＮＵが接続されたとする。これに対して、第１インタフェースユニット１１１は、時刻Ｃにおいて、新たに接続されたＯＮＵに関する認証処理を実施し、認証結果に基づいて認証ＤＢ６２１を更新する（ステップＳ１２０５）。この場合は、第１インタフェースユニット１１１は、認証ＤＢ６２１のタイムスタンプを時刻Ｃに設定する。
【００７２】
また、第２インタフェースユニット１１２に対して新たにＯＮＵが接続されたとする。これに対して、第２インタフェースユニット１１２は、時刻Ｄにおいて、新たに接続されＯＮＵに関する認証処理を実施し、認証結果に基づいて認証ＤＢ６２１を更新する（ステップＳ１２０６）。この場合は、第２インタフェースユニット１１２は、認証ＤＢ６２２のタイムスタンプを時刻Ｄに設定する。
【００７３】
ここで、第１インタフェースユニット１１１および第２インタフェースユニット１１２は、それぞれ認証ＤＢ６２１，６２２を更新したが、監視制御ユニット１１５が故障しているため、認証情報を監視制御ユニット１１５へ送信しない。
【００７４】
つぎに、監視制御ユニット１１５のユニット交換が行われ、監視制御ユニット１１５が復旧したとする（ステップＳ１２０７）。このとき、復旧した監視制御ユニット１１５は、第１インタフェースユニット１１１のＤＢ６１１のタイムスタンプ（時刻Ｂ）と、第２インタフェースユニット１１２のＤＢ６１２のタイムスタンプ（時刻Ａ）と、を比較する。これにより、ＤＢ６１１，６１２のうちの最新のバックアップはＤＢ６１１であると特定することができる。このため、監視制御ユニット１１５は、第１インタフェースユニット１１１からＤＢ６１１のコピーを受信する（ステップＳ１２０８）。
【００７５】
つぎに、監視制御ユニット１１５が、ステップＳ１２０８によって受信したＤＢ６１１のコピーによって、監視制御ユニット１１５のＤＢ６１０を更新する（ステップＳ１２０９）。つぎに、監視制御ユニット１１５が、第１インタフェースユニット１１１および第２インタフェースユニット１１２に対して認証情報要求を送信する（ステップＳ１２１０）。認証情報要求は、最新の認証情報を要求する制御信号である。
【００７６】
つぎに、第１インタフェースユニット１１１および第２インタフェースユニット１１２が、それぞれ認証ＤＢ６２１，６２２のコピーを認証情報として監視制御ユニット１１５へ送信する（ステップＳ１２１１）。
【００７７】
つぎに、監視制御ユニット１１５が、ステップＳ１２１１によって送信された認証情報に基づいて、ＤＢ６１０における第１インタフェースユニット１１１および第２インタフェースユニット１１２に関する各認証ＤＢを更新する（ステップＳ１２１２）。ステップＳ１２１２によって認証ＤＢが更新された時刻を時刻Ｅとする。
【００７８】
この場合は、監視制御ユニット１１５は、ＤＢ６１０のタイムスタンプを時刻Ｅに設定し、タイムスタンプを時刻Ｅに設定したＤＢ６１０のコピーを第１インタフェースユニット１１１および第２インタフェースユニット１１２へ送信する（ステップＳ１２１３）。これにより、第１インタフェースユニット１１１および第２インタフェースユニット１１２によって最新のＤＢ６１０（タイムスタンプ＝時刻Ｅ）がバックアップされる。
【００７９】
仮に、第１インタフェースユニット１１１および第２インタフェースユニット１１２がそれぞれ認証ＤＢ６２１，６２２を有しておらず、ステップＳ１２０５，Ｓ１２０６においてそれぞれＤＢ６１１，６１２の認証ＤＢが更新されるとする。この場合は、ＤＢ６１１，６１２のタイムスタンプはそれぞれ時刻Ｘ，Ｙとなる。
【００８０】
このため、ステップＳ１２０８において、監視制御ユニット１１５は、ＤＢ６１１，６１２のうちの、最後にバックアップに成功したＤＢはいずれであるかをＤＢ６１１，６１２のタイムスタンプから特定することができない。仮に、時刻Ｙが時刻Ｘより後であり、ＤＢ６１１，６１２のうちのタイムスタンプが最新のＤＢを用いて復旧すると、バックアップに失敗した認証ＤＢ６２２の内容がＤＢ６１０に反映されることになる。
【００８１】
これに対して、第１インタフェースユニット１１１および第２インタフェースユニット１１２が、バックアップ用のＤＢ６１１，６１２とは別にそれぞれ認証ＤＢ６２１，６２２を有し、認証処理の際にはそれぞれ認証ＤＢ６２１，６２２を更新する構成とする。これにより、監視制御ユニット１１５の障害発生中に第１インタフェースユニット１１１や第２インタフェースユニット１１２で認証処理が行われても、障害発生の直前のＤＢ６１０のコピーをタイムスタンプとともに維持することができる。
【００８２】
このため、ステップＳ１２０８において、監視制御ユニット１１５は、ＤＢ６１１，６１２のうちの、最後にバックアップに成功したＤＢがＤＢ６１１であることを、ＤＢ６１１，６１２のタイムスタンプから特定することができる。したがって、監視制御ユニット１１５の障害発生から復旧までの間にインタフェースユニットによる認証が行われても、監視制御ユニット１１５のＤＢ６１０の復旧を容易に行うことができる。
【００８３】
（実施の形態にかかるＰＯＮシステムにおける障害時のＤＢ更新処理によるＤＢの変化）
図１３〜図１５は、実施の形態にかかるＰＯＮシステムにおける障害時のＤＢ更新処理によるＤＢの変化の一例を示す図である。図１３〜図１５において、図６，図７に示した部分と同様の部分については同一の符号を付して説明を省略する。
【００８４】
図１２に示した例における監視制御ユニット１１５のＤＢ６１０の初期状態は、たとえば図８に示した状態と同様である。また、第１インタフェースユニット１１１が有する認証ＤＢ６２１は、たとえば図８に示した認証ＤＢ７２１と同内容である。また、第２インタフェースユニット１１２が有する認証ＤＢ６２２は、たとえば図８に示した認証ＤＢ７２２と同内容である。また、第１インタフェースユニット１１１および第２インタフェースユニット１１２のバックアップ用のＤＢ６１１，６１２は、たとえば図８に示したＤＢ６１０と同内容である。
【００８５】
図１２に示したステップＳ１２０１による更新後の監視制御ユニット１１５のＤＢ６１０の状態は、たとえば図９に示した状態と同様である。また、図１２に示したステップＳ１２０２によるＤＢ６１０のコピーの送信後に、第１インタフェースユニット１１１および第２インタフェースユニット１１２のバックアップ用のＤＢ６１１，６１２は、図９に示したＤＢ６１０と同内容になる。
【００８６】
図１３は、図１２に示したステップＳ１２０３による更新後の監視制御ユニット１１５のＤＢ６１０の状態を示している。図１３に示す例では、ＤＢ６１０の装置設定情報７１０のＳＮＭＰマネージャのＩＰアドレスが、図９に示した例から変更されて“１９２．１６８．２００．２００／２４”になっている。監視制御ユニット１１５は、図１２に示したステップＳ１２０４において、図１３に示す更新後のＤＢ６１０のコピーを第１インタフェースユニット１１１および第２インタフェースユニット１１２へ送信する。
【００８７】
ただし、図１２に示したように、このとき監視制御ユニット１１５に障害が発生し、第２インタフェースユニット１１２にはＤＢ６１０のコピーが送信されなかったとする。これにより、第１インタフェースユニット１１１が有するバックアップ用のＤＢ６１１は図１３に示す最新のＤＢ６１０と同内容になるが、第２インタフェースユニット１１２が有するバックアップ用のＤＢ６１２は図９に示した古いＤＢ６１０と同内容になる。
【００８８】
図１２に示したステップＳ１２０５による更新後の第１インタフェースユニット１１１の認証ＤＢ６２１の状態は、図１０に示した状態と同様になる。図１４は、図１２に示したステップＳ１２０６による更新後の第２インタフェースユニット１１２の認証ＤＢ６２２の状態を示している。図１２に示したステップＳ１２０６において、ＭＡＣアドレス＝ｄのＯＮＵについて認証処理が行われ、ＭＡＣアドレス＝ｄのＯＮＵに対して第２インタフェースユニット１１２によって管理番号＝２が割り当てられたとする。この場合は、図１４に示すように、認証ＤＢ６２２には、ＭＡＣアドレス＝ｄと管理番号＝２との組み合わせが追加される。
【００８９】
図１２に示したステップＳ１２０９による更新後の監視制御ユニット１１５のＤＢ６１０の状態は、たとえば図１３に示した状態と同様になる。すなわち、監視制御ユニット１１５は、ステップＳ１２０７における復旧後に、ステップＳ１２０８において受信した第１インタフェースユニット１１１の認証ＤＢ６２１のコピーによって、ステップＳ１２０９においてＤＢ６１０を更新する。これにより、図１２に示したステップＳ１２０３による更新後のＤＢ６１０を復元することができる。
【００９０】
第１インタフェースユニット１１１は、図１２に示したステップＳ１２１１において、認証情報として、たとえば図１０に示した認証ＤＢ６２１のコピーを監視制御ユニット１１５へ送信する。第２インタフェースユニット１１２は、図１２に示したステップＳ１２１１において、認証情報として、たとえば図１４に示す認証ＤＢ６２２のコピーを監視制御ユニット１１５へ送信する。
【００９１】
図１５は、図１２に示したステップＳ１２１２による更新後の監視制御ユニット１１５のＤＢ６１０の状態を示している。すなわち、監視制御ユニット１１５は、ステップＳ１２０９において更新したＤＢ６１０の認証ＤＢ７２１，７２２を、ステップＳ１２１１において受信した認証情報によってステップＳ１２１２において更新する。
【００９２】
（実施の形態にかかる監視制御ユニットによる処理）
図１６は、実施の形態にかかる監視制御ユニットによる処理の一例を示すフローチャートである。実施の形態にかかる監視制御ユニット１１５は、たとえば図１６に示す各ステップを実行する。たとえば、監視制御ユニット１１５は、監視制御ユニット１１５の起動時に図１６に示す各ステップを開始する。
【００９３】
まず、監視制御ユニット１１５は、監視制御ユニット１１５に接続された各インタフェースユニットのバックアップ用のＤＢのタイムスタンプを取得する（ステップＳ１６０１）。ステップＳ１６０１は、たとえば監視制御ユニット１１５に接続された各インタフェースユニットに対して問い合わせを行うことにより行うことができる。
【００９４】
つぎに、監視制御ユニット１１５は、監視制御ユニット１１５に接続された各インタフェースユニットのうちの、ステップＳ１６０１によって取得したタイムスタンプが最新のＤＢを有するインタフェースユニットを特定する（ステップＳ１６０２）。
【００９５】
つぎに、監視制御ユニット１１５は、ステップＳ１６０２によって特定したインタフェースユニットのバックアップ用のＤＢを自ユニットにコピーする（ステップＳ１６０３）。たとえば、監視制御ユニット１１５は、ステップＳ１６０２によって特定したインタフェースユニットに対してバックアップ用のＤＢの送信を要求し、送信されたバックアップ用のＤＢによってＤＢ６１０を更新する。これにより、タイムスタンプが最新のバックアップ用のＤＢによって、監視制御ユニット１１５のＤＢ６１０を更新することができる。
【００９６】
つぎに、監視制御ユニット１１５は、監視制御ユニット１１５に接続された各インタフェースユニットの認証ＤＢを自ユニットにコピーする（ステップＳ１６０４）。たとえば、監視制御ユニット１１５は、監視制御ユニット１１５に接続された各インタフェースユニットに対して認証ＤＢの送信を要求し、送信された認証ＤＢによって、ＤＢ６１０における認証ＤＢを更新する。これにより、監視制御ユニット１１５に接続された各インタフェースユニットの認証ＤＢによって、監視制御ユニット１１５のＤＢ６１０における認証ＤＢを更新することができる。
【００９７】
つぎに、監視制御ユニット１１５は、監視制御ユニット１１５のＤＢ６１０のコピーを、監視制御ユニット１１５に接続された各インタフェースユニットへ送信する（ステップＳ１６０５）。これにより、監視制御ユニット１１５の最新のＤＢ６１０を、監視制御ユニット１１５に接続された各インタフェースユニットによってバックアップさせることができる。以上により、監視制御ユニット１１５の起動が完了する。
【００９８】
つぎに、監視制御ユニット１１５は、装置設定情報の更新要求があったか否かを判断する（ステップＳ１６０６）。装置設定情報の更新要求は、たとえば、監視制御ユニット１１５による監視や制御の処理において装置設定情報が変更された場合や、監視制御ユニット１１５に対して管理者が装置設定情報の変更を指示した場合などに発生する。更新要求があった場合（ステップＳ１６０６：Ｙｅｓ）は、監視制御ユニット１１５は、更新要求に従って、監視制御ユニット１１５のＤＢ６１０の装置設定情報７１０を更新する（ステップＳ１６０７）。
【００９９】
つぎに、監視制御ユニット１１５は、監視制御ユニット１１５のＤＢ６１０のコピーを、監視制御ユニット１１５に接続された各インタフェースユニットへ送信する（ステップＳ１６０８）。たとえば、監視制御ユニット１１５は、監視制御ユニット１１５に接続された各インタフェースユニットに対して、ＤＢ６１０のコピーのバックアップを要求するバックアップ要求を送信する。そして、監視制御ユニット１１５は、バックアップ要求に対する応答信号があったインタフェースユニットに対して、ＤＢ６１０のコピーを送信する。これにより、監視制御ユニット１１５の最新のＤＢ６１０を、監視制御ユニット１１５に接続された各インタフェースユニットによってバックアップさせることができる。
【０１００】
ステップＳ１６０６において、更新要求がなかった場合（ステップＳ１６０６：Ｎｏ）は、監視制御ユニット１１５は、監視制御ユニット１１５に接続されたインタフェースユニットからの認証情報の送信があったか否かを判断する（ステップＳ１６０９）。
【０１０１】
ステップＳ１６０９において、認証情報の送信がなかった場合（ステップＳ１６０９：Ｎｏ）は、監視制御ユニット１１５は、ステップＳ１６０６へ戻る。認証情報の送信があった場合（ステップＳ１６０９：Ｙｅｓ）は、監視制御ユニット１１５は、受信した認証情報に従って、監視制御ユニット１１５のＤＢ６１０の認証ＤＢ（たとえば認証ＤＢ７２１，７２２）を更新する（ステップＳ１６１０）。そして、監視制御ユニット１１５は、ステップＳ１６０８へ移行して、監視制御ユニット１１５のＤＢ６１０のコピーを各インタフェースユニットへ送信する。
【０１０２】
（実施の形態にかかるインタフェースユニットによる処理）
図１７は、実施の形態にかかるインタフェースユニットによる処理の一例を示すフローチャートである。第１インタフェースユニット１１１による処理について説明するが、第２インタフェースユニット１１２による処理についても同様である。実施の形態にかかる第１インタフェースユニット１１１は、たとえば図１７に示す各ステップを実行する。たとえば、第１インタフェースユニット１１１は、第１インタフェースユニット１１１の起動時に、図１７に示す各ステップを開始する。
【０１０３】
まず、第１インタフェースユニット１１１は、監視制御ユニット１１５が起動しているか否かを判断し（ステップＳ１７０１）、監視制御ユニット１１５が起動していると判断するまで待つ（ステップＳ１７０１：Ｎｏのループ）。監視制御ユニット１１５が起動していると判断すると（ステップＳ１７０１：Ｙｅｓ）、第１インタフェースユニット１１１は、ＤＢ６１０のコピーを監視制御ユニット１１５から受信してバックアップ用のＤＢ６１１として記憶する（ステップＳ１７０２）。これにより、第１インタフェースユニット１１１の起動が完了する。
【０１０４】
つぎに、第１インタフェースユニット１１１は、監視制御ユニット１１５からＤＢ６１０のバックアップ要求があったか否かを判断する（ステップＳ１７０３）。バックアップ要求があった場合（ステップＳ１７０３：Ｙｅｓ）は、第１インタフェースユニット１１１は、監視制御ユニット１１５のＤＢ６１０のコピーを監視制御ユニット１１５から受信してバックアップ用のＤＢ６１１として記憶する（ステップＳ１７０４）。
【０１０５】
ステップＳ１７０３において、バックアップ要求がなかった場合（ステップＳ１７０３：Ｎｏ）は、第１インタフェースユニット１１１は、第１インタフェースユニット１１１に接続しているＯＮＵの確認を行う（ステップＳ１７０５）。つぎに、第１インタフェースユニット１１１は、ステップＳ１７０５の確認の結果に基づいて、第１インタフェースユニット１１１に新しいＯＮＵが接続されたか否かを判断する（ステップＳ１７０６）。新しいＯＮＵは、たとえば、第１インタフェースユニット１１１に接続されているが、ステップＳ１７０７〜Ｓ１７０９による認証処理をまだ行っていないＯＮＵである。
【０１０６】
ステップＳ１７０６において、第１インタフェースユニット１１１に新しいＯＮＵが接続されていない場合（ステップＳ１７０６：Ｎｏ）は、第１インタフェースユニット１１１は、ステップＳ１７０３へ戻る。第１インタフェースユニット１１１に新しいＯＮＵが接続された場合（ステップＳ１７０６：Ｙｅｓ）は、第１インタフェースユニット１１１は、新しいＯＮＵのＭＡＣアドレスおよび回線設定情報を新しいＯＮＵから受信する（ステップＳ１７０７）。たとえば、第１インタフェースユニット１１１は、ＭＡＣアドレス・回線設定情報要求を新しいＯＮＵへ送信することにより新しいＯＮＵのＭＡＣアドレスおよび回線設定情報を新しいＯＮＵから受信する。
【０１０７】
つぎに、第１インタフェースユニット１１１は、新しいＯＮＵに対して所定の回線設定情報を送信する（ステップＳ１７０８）。これにより、新しいＯＮＵに対して所定の回線設定情報を反映させることができる。たとえば、第１インタフェースユニット１１１は、ステップＳ１７０７によって受信した回線設定情報が、監視制御ユニット１１５によって設定された所定の回線設定情報と一致しない場合は、ステップＳ１７０８を実行する。また、第１インタフェースユニット１１１は、ステップＳ１７０７によって受信した回線設定情報が、監視制御ユニット１１５によって設定された所定の回線設定情報と一致する場合は、ステップＳ１７０８を実行しなくてもよい。
【０１０８】
つぎに、第１インタフェースユニット１１１は、ステップＳ１７０７によって受信したＭＡＣアドレスに基づいて認証ＤＢ６２１を更新する（ステップＳ１７０９）。たとえば、第１インタフェースユニット１１１は、新しいＯＮＵに対して管理番号を割り当て、ステップＳ１７０７によって受信したＭＡＣアドレスと、新しいＯＮＵに対して割り当てた管理番号と、を対応付けて認証ＤＢ６２１に追加する。
【０１０９】
つぎに、第１インタフェースユニット１１１は、監視制御ユニット１１５が起動しているか否かを判断する（ステップＳ１７１０）。監視制御ユニット１１５が起動していない場合（ステップＳ１７１０：Ｎｏ）は、第１インタフェースユニット１１１は、ステップＳ１７０３へ戻る。
【０１１０】
ステップＳ１７１０において、監視制御ユニット１１５が起動している場合（ステップＳ１７１０：Ｙｅｓ）は、第１インタフェースユニット１１１は、ステップＳ１７１１へ移行する。すなわち、第１インタフェースユニット１１１は、監視制御ユニット１１５に、新しいＯＮＵに関する認証情報を送信し（ステップＳ１７１１）、ステップＳ１７０３へ戻る。
【０１１１】
ステップＳ１７１１において、第１インタフェースユニット１１１は、たとえば、ステップＳ１７０９による更新後の認証ＤＢ６２１のコピーを認証情報として送信する。または、第１インタフェースユニット１１１は、ステップＳ１７０９において認証ＤＢ６２１に追加したＭＡＣアドレスと管理番号との組み合わせを認証情報として送信してもよい。
【０１１２】
（実施の形態にかかる監視制御ユニットのハードウェア構成）
図１８は、実施の形態にかかる監視制御ユニットのハードウェア構成の一例を示す図である。実施の形態にかかる監視制御ユニット１１５は、たとえば図１８に示す通信装置１８００によって実現することができる。通信装置１８００は、ＣＰＵ１８０１と、メモリ１８０２と、ユーザインタフェース１８０３と、ＯＬＴ内通信インタフェース１８０４と、を備える。ＣＰＵ１８０１、メモリ１８０２、ユーザインタフェース１８０３およびＯＬＴ内通信インタフェース１８０４は、バス１８０９によって接続される。
【０１１３】
ＣＰＵ１８０１（Ｃｅｎｔｒａｌ  Ｐｒｏｃｅｓｓｉｎｇ  Ｕｎｉｔ）は、通信装置１８００の全体の制御を司る。メモリ１８０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ１８０１のワークエリアとして使用される。補助メモリは、たとえば磁気ディスク、光ディスク、フラッシュメモリなどの不揮発メモリである。補助メモリには、通信装置１８００を動作させる各種のプログラムが記憶されている。補助メモリに記憶されたプログラムは、メインメモリにロードされてＣＰＵ１８０１によって実行される。上述したＤＢ６１０は、たとえばメモリ１８０２に格納される。
【０１１４】
ユーザインタフェース１８０３は、たとえば、ユーザ（たとえばＯＬＴ１１０の管理者）からの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース１８０３は、ＣＰＵ１８０１によって制御される。
【０１１５】
ＯＬＴ内通信インタフェース１８０４は、たとえば有線の電気信号によって、ＯＬＴ１１０の内部の他の光通信装置との間で通信を行う通信インタフェースである。ＯＬＴ内通信インタフェース１８０４は、ＣＰＵ１８０１によって制御される。監視制御ユニット１１５は、ＯＬＴ内通信インタフェース１８０４を用いて、監視制御ユニット１１５に接続された第１インタフェースユニット１１１や第２インタフェースユニット１１２などのインタフェースユニットとの間で通信を行うことができる。
【０１１６】
（実施の形態にかかるインタフェースユニットのハードウェア構成）
図１９は、実施の形態にかかるインタフェースユニットのハードウェア構成の一例を示す図である。第１インタフェースユニット１１１のハードウェア構成について説明するが、第２インタフェースユニット１１２のハードウェア構成についても同様である。実施の形態にかかる第１インタフェースユニット１１１は、たとえば図１９に示す通信装置１９００によって実現することができる。
【０１１７】
通信装置１９００は、ＣＰＵ１９０１と、メモリ１９０２と、光通信インタフェース１９０３と、ＯＬＴ内通信インタフェース１９０４と、を備える。ＣＰＵ１９０１、メモリ１９０２、光通信インタフェース１９０３およびＯＬＴ内通信インタフェース１９０４は、バス１９０９によって接続される。
【０１１８】
ＣＰＵ１９０１は、通信装置１９００の全体の制御を司る。メモリ１９０２には、たとえばメインメモリおよび補助メモリが含まれる。メインメモリは、たとえばＲＡＭである。メインメモリは、ＣＰＵ１９０１のワークエリアとして使用される。補助メモリは、たとえば磁気ディスク、光ディスク、フラッシュメモリなどの不揮発メモリである。補助メモリには、通信装置１９００を動作させる各種のプログラムが記憶されている。補助メモリに記憶されたプログラムは、メインメモリにロードされてＣＰＵ１９０１によって実行される。上述したＤＢ６１１，６１２や認証ＤＢ６２１，６２２は、たとえばメモリ１９０２に格納される。
【０１１９】
光通信インタフェース１９０３は、たとえば、他の光通信装置との間で光通信を行う通信インタフェースである。光通信インタフェース１９０３による光通信には、たとえば、ＳＯＮＥＴ（Ｓｙｎｃｈｒｏｎｏｕｓ  Ｏｐｔｉｃａｌ  ＮＥＴｗｏｒｋ）やＳＤＨ（Ｓｙｎｃｈｒｏｎｏｕｓ  Ｄｉｇｉｔａｌ  Ｈｉｅｒａｒｃｈｙ）などの各種の通信を適用することができる。光通信インタフェース１９０３は、ＣＰＵ１９０１によって制御される。たとえば、第１インタフェースユニット１１１は、光通信インタフェース１９０３を用いて、第１インタフェースユニット１１１に接続されたＯＮＵとの間や、ＯＬＴ１１０の上位の光通信装置との間で光通信を行う。
【０１２０】
ＯＬＴ内通信インタフェース１９０４は、たとえば有線の電気信号によって、ＯＬＴ１１０の内部の他の光通信装置との間で通信を行う通信インタフェースである。ＯＬＴ内通信インタフェース１９０４は、ＣＰＵ１９０１によって制御される。第１インタフェースユニット１１１は、ＯＬＴ内通信インタフェース１９０４を用いて、第１インタフェースユニット１１１と接続された監視制御ユニット１１５との間で通信を行うことができる。
【０１２１】
（実施の形態にかかるＯＮＵのハードウェア構成）
図２０は、実施の形態にかかるＯＮＵのハードウェア構成の一例を示す図である。ＯＮＵ１２１のハードウェア構成について説明するが、ＯＮＵ１２２〜１２４のハードウェア構成についても同様である。実施の形態にかかるＯＮＵ１２１は、たとえば図２０に示す通信装置２０００によって実現することができる。
【０１２２】
通信装置２０００は、ＣＰＵ２００１と、メモリ２００２と、光通信インタフェース２００３と、加入者側通信インタフェース２００４と、を備える。ＣＰＵ２００１、メモリ２００２、光通信インタフェース２００３および加入者側通信インタフェース２００４は、バス２００９によって接続される。
【０１２３】
ＣＰＵ２００１は、通信装置２０００の全体の制御を司る。メモリ２００２には、たとえばメインメモリおよび補助メモリが含まれる。メインメモリは、たとえばＲＡＭである。メインメモリは、ＣＰＵ２００１のワークエリアとして使用される。補助メモリは、たとえば磁気ディスク、光ディスク、フラッシュメモリなどの不揮発メモリである。補助メモリには、通信装置２０００を動作させる各種のプログラムが記憶されている。補助メモリに記憶されたプログラムは、メインメモリにロードされてＣＰＵ２００１によって実行される。上述した回線設定情報は、たとえばメモリ２００２に格納される。
【０１２４】
光通信インタフェース２００３は、たとえば、他の光通信装置との間で光通信を行う通信インタフェースである。光通信インタフェース２００３による光通信には、たとえば、ＳＯＮＥＴやＳＤＨなどの各種の通信を適用することができる。光通信インタフェース２００３は、ＣＰＵ２００１によって制御される。たとえば、ＯＮＵ１２１は、光通信インタフェース２００３を用いて、ＯＬＴ１１０の第１インタフェースユニット１１１との間で光通信を行う。
【０１２５】
加入者側通信インタフェース２００４は、たとえば有線の電気信号や無線の信号によって、ＯＮＵ１２１に接続された加入者側の通信装置との間で通信を行う通信インタフェースである。加入者側通信インタフェース２００４は、ＣＰＵ１８０１によって制御される。ＯＮＵ１２１は、加入者側通信インタフェース２００４を用いて、ＯＮＵ１２１と接続されたＰＣ等の通信装置との間で通信を行うことができる。
【０１２６】
このように、実施の形態にかかるＯＬＴ１１０（光通信装置）によれば、ＯＮＵの認証を各インタフェースユニットにおいて行い、認証結果を監視制御ユニット１１５へ通知することができる。これにより、監視制御ユニット１１５に障害が発生しても、各インタフェースユニットとＯＮＵとの間の信号の疎通が可能になり、ＰＯＮシステム１００における通信の安定化を図ることができる。たとえば、監視制御ユニット１１５に障害が発生してもエンドユーザがＰＯＮの通信サービスを利用可能になる。
【０１２７】
また、監視制御ユニット１１５は、各インタフェースユニットによる認証の結果を示す認証情報（認証ＤＢ７２１，７２２）を含む第１データベース（ＤＢ６１０）を記憶し、第１データベースに基づいて各インタフェースユニットの監視や制御を行う。また、各インタフェースユニットは、監視制御ユニット１１５の第１データベースを複製した第２データベース（６１１，６１２）と、自ユニットによる認証の結果を示す認証情報を含む第３データベース（６２１，６２２）と、を記憶する。そして、各インタフェースユニットは、第３データベースに基づいて自ユニットによる認証を行う。監視制御ユニット１１５は、たとえば装置交換などにより第１データベースの復旧を行う際に、各インタフェースユニットに記憶された第２データベースのうちの最新の第２データベースに基づいて第１データベースの復旧を行う。
【０１２８】
これにより、インタフェースユニットは、第２データベースとは別に記憶した第３データベースを用いることで、第２データベースに影響を与えずに認証を行うことができる。したがって、監視制御ユニット１１５が第１データベースの復旧を行う際に、第２データベースのタイムスタンプを参照することによって、第１データベースの最新のバックアップを特定することができる。このため、たとえば監視制御ユニット１１５の障害発生から復旧までの間にインタフェースユニットによる認証が行われても、監視制御ユニット１１５の第１データベースの復旧を行うことができる。
【０１２９】
また、各インタフェースユニットは、自ユニットによる認証の結果に基づいて自ユニットの第３データベースの更新を行い、第３データベースの更新内容の監視制御ユニット１１５への通知を行う。監視制御ユニット１１５は、各インタフェースユニットからの通知に基づいて第１データベースの更新を行い、第１データベースの更新内容の各インタフェースユニットへの通知を行う。各インタフェースユニットは、監視制御ユニット１１５からの通知に基づいて自ユニットの第２データベースの更新を行う。
【０１３０】
これにより、各インタフェースユニットによって行われたインタフェースユニットによる認証の結果を、監視制御ユニット１１５の第１データベースに反映させることができる。また、認証の結果を反映させた第１データベースの内容を各インタフェースユニットにバックアップさせることができる。
【０１３１】
また、監視制御ユニット１１５は、最新の第２データベースに基づいて第１データベースの復旧を行った後に、各インタフェースユニットの第３データベースに基づいて第１データベースの更新を行う。また、監視制御ユニット１１５は、第１データベースの更新内容の各インタフェースユニットへの通知を行う。各インタフェースユニットは、監視制御ユニット１１５からの通知に基づいて自ユニットの第２データベースの更新を行う。
【０１３２】
これにより、たとえば監視制御ユニット１１５の障害発生から復旧までの間に行われたインタフェースユニットによる認証の結果を、復旧した監視制御ユニット１１５の第１データベースに反映させることができる。また、認証の結果を反映させた第１データベースの内容を各インタフェースユニットにバックアップさせることができる。
【０１３３】
以上説明したように、光通信装置、光通信システムおよび処理方法によれば、通信の安定化を図ることができる。
【０１３４】
たとえば、従来の装置では監視制御ユニットで認証処理を実施し認証情報をＤＢに保存している。このため、監視制御ユニットに障害が発生し監視制御ユニットを交換している間は各インタフェースユニットと光ファイバで接続する全ＯＮＵの認証処理ができない。ここにエンドユーザが新たにＯＮＵを接続してもＰＯＮ通信を利用できない。
【０１３５】
これに対して、上述した実施の形態によれば、認証処理を監視制御ユニットではなくインタフェースユニットで実施することで、監視制御ユニットに障害が生じたときでも、エンドユーザが新たに接続したＯＮＵに対して認証処理を実施できる。
【０１３６】
上述した各実施の形態に関し、さらに以下の付記を開示する。
【０１３７】
（付記１）それぞれ自ユニットに接続された他の光通信装置の認証を行い、前記認証を行った前記他の光通信装置との間で光通信を行い、前記認証の結果を示す情報を送信する複数のインタフェースユニットと、
前記複数のインタフェースユニットによって送信された前記認証の結果を示す情報に基づいて、前記複数のインタフェースユニットの監視および制御の少なくともいずれかを行う管理ユニットと、
を備えることを特徴とする光通信装置。
【０１３８】
（付記２）前記認証は、前記他の光通信装置の識別情報を前記他の光通信装置から受信することにより前記他の光通信装置の正当性を確認する処理であることを特徴とする付記１に記載の光通信装置。
【０１３９】
（付記３）前記管理ユニットは、前記複数のインタフェースユニットによる前記認証の結果を示す情報を含む第１データベースを記憶し、前記第１データベースに基づいて前記複数のインタフェースユニットの監視および制御の少なくともいずれかを行い、
前記複数のインタフェースユニットのそれぞれは、前記管理ユニットの前記第１データベースを複製した第２データベースと、自ユニットによる前記認証の結果を示す情報を含む第３データベースと、を記憶し、前記第３データベースに基づいて自ユニットによる前記認証を行い、
前記管理ユニットは、前記複数のインタフェースユニットに記憶された前記第２データベースのうちの最新の第２データベースに基づいて前記第１データベースの復旧を行う、
ことを特徴とする付記１または２に記載の光通信装置。
【０１４０】
（付記４）前記複数のインタフェースユニットのそれぞれは、自ユニットによる前記認証の結果に基づいて自ユニットの前記第３データベースの更新を行い、前記第３データベースの更新内容の前記管理ユニットへの通知を行い、
前記管理ユニットは、前記複数のインタフェースユニットのそれぞれからの前記通知に基づいて前記第１データベースの更新を行い、前記第１データベースの更新内容の前記複数のインタフェースユニットへの通知を行い、
前記複数のインタフェースユニットのそれぞれは、前記管理ユニットからの前記通知に基づいて自ユニットの前記第２データベースの更新を行う、
ことを特徴とする付記３に記載の光通信装置。
【０１４１】
（付記５）前記管理ユニットは、前記最新の第２データベースに基づいて前記第１データベースの復旧を行った後に、前記複数のインタフェースユニットの前記第３データベースに基づいて前記第１データベースの更新を行い、前記第１データベースの更新内容の前記複数のインタフェースユニットへの通知を行い、
前記複数のインタフェースユニットのそれぞれは、前記管理ユニットからの前記通知に基づいて自ユニットの前記第２データベースの更新を行う、
ことを特徴とする付記３または４に記載の光通信装置。
【０１４２】
（付記６）前記第１データベースには、前記複数のインタフェースユニットが前記他の光通信装置との間で通信を行うための回線設定情報が含まれることを特徴とする付記３〜５のいずれか一つに記載の光通信装置。
【０１４３】
（付記７）前記他の光通信装置はパッシブオプティカルネットワークにおける加入者側の光通信装置であり、
自装置は前記パッシブオプティカルネットワークにおける収容局側の光通信装置である、
ことを特徴とする付記１〜６のいずれか一つに記載の光通信装置。
【０１４４】
（付記８）それぞれ自ユニットに接続された他の光通信装置の認証を行い、前記認証を行った前記他の光通信装置との間で光通信を行い、前記認証の結果を示す情報を送信する複数のインタフェースユニットと、前記複数のインタフェースユニットによって送信された前記認証の結果を示す情報に基づいて、前記複数のインタフェースユニットの監視および制御の少なくともいずれかを行う管理ユニットと、を備える第１光通信装置と、
前記複数のインタフェースユニットのいずれかに接続し、接続したインタフェースユニットとの間で光通信を行う第２光通信装置と、
を含むことを特徴とする光通信システム。
【０１４５】
（付記９）複数のインタフェースユニットおよび管理ユニットを備える光通信装置における処理方法であって、
前記複数のインタフェースユニットが、それぞれ自ユニットに接続された他の光通信装置の認証を行い、前記認証を行った前記他の光通信装置との間で光通信を行い、前記認証の結果を示す情報を送信し、
前記管理ユニットが、前記複数のインタフェースユニットによって送信された前記認証の結果を示す情報に基づいて、前記複数のインタフェースユニットの監視および制御の少なくともいずれかを行う、
ことを特徴とする処理方法。
【符号の説明】
【０１４６】
１００  ＰＯＮシステム
１１０  ＯＬＴ
１１１  第１インタフェースユニット
１１２  第２インタフェースユニット
１１５  監視制御ユニット
１２１〜１２４，２０１〜２０３  ＯＮＵ
３００，６２１，６２２，７２１，７２２  認証ＤＢ
６１０〜６１２  ＤＢ
７１０  装置設定情報
１８００，１９００，２０００  通信装置
１８０１，１９０１，２００１  ＣＰＵ
１８０２，１９０２，２００２  メモリ
１８０３  ユーザインタフェース
１８０４，１９０４  ＯＬＴ内通信インタフェース
１８０９，１９０９，２００９  バス
１９０３，２００３  光通信インタフェース
２００４  加入者側通信インタフェース
【図１】
2017158007.tif 000003
【図２】
2017158007.tif 000004
【図３】
2017158007.tif 000005
【図４】
2017158007.tif 000006
【図５】
2017158007.tif 000007
【図６】
2017158007.tif 000008
【図７】
2017158007.tif 000009
【図８】
2017158007.tif 000010
【図９】
2017158007.tif 000011
【図１０】
2017158007.tif 000012
【図１１】
2017158007.tif 000013
【図１２】
2017158007.tif 000014
【図１３】
2017158007.tif 000015
【図１４】
2017158007.tif 000016
【図１５】
2017158007.tif 000017
【図１６】
2017158007.tif 000018
【図１７】
2017158007.tif 000019
【図１８】
2017158007.tif 000020
【図１９】
2017158007.tif 000021
【図２０】
2017158007.tif 000022